(57)【要約】【課題】  安全防護装置を具えたプラグの提供。【解決手段】  プラグ本体内に安全防護装置が設けられ、該安全防護装置は回路に接続されたサージ保護器及び温度ヒューズを具えている。回路に瞬間的にサージ電圧が激増する時、サージ保護器がサージ電圧を吸収し並びに熱エネルギーに変換し、熱エネルギーが温度ヒューズに設定された切断温度を超過すると、回路を切断し、安全防護の機能を達成する。これにより、サージ電圧がプラグを溶融破壊する危険がある時に回路を切断する。また、回路にＬＥＤ指示ランプが設けられ、温度ヒューズが切断される時、ＬＥＤ指示ランプが滅灯そて温度ヒューズが切断されたことを表示する。【選択図】        図１
0003111465.tif 000002
【実用新案登録請求の範囲】
【請求項１】
安全防護装置を具えたプラグにおいて、
コンセントに挿入されて電源を取得する導電端子対を具え、並びに該導電端子対と電線が導電性接続を形成する、プラグ本体と、
サージ保護器と温度ヒューズを具え、該サージ保護器が回路に接続され、回路に瞬間的にサージ電圧の激増がある時、サージ保護器がサージ電圧を吸収し並びに熱エネルギーに変換し、この熱エネルギーの温度が温度ヒューズの設定する切断温度を超過する時、回路を切断し、安全防護を達成する安全防護装置と、
を具えたことを特徴とする、安全防護装置を具えたプラグ。
【請求項２】
請求項１記載の安全防護装置を具えたプラグにおいて、プラグ本体が上ケースと下ケースを具え、導電端子対が下ケースより突出し、下ケース内にあって、電線と導電端子対の間に収容溝が設けられてサージ保護器と温度ヒューズを相互に隣り合うように収容することを特徴とする、安全防護装置を具えたプラグ。
【請求項３】
請求項２記載の安全防護装置を具えたプラグにおいて、収容溝の上方がカバーで閉じられ、カバーの表面が上ケースの表面に延伸されて開閉自在とされたことを特徴とする、安全防護装置を具えたプラグ。
【請求項４】
請求項２記載の安全防護装置を具えたプラグにおいて、収容溝の両側に案内溝が開設され、サージ保護器と温度ヒューズのピンが該案内溝より収容溝内に組みつけられることを特徴とする、安全防護装置を具えたプラグ。
【請求項５】
請求項１記載の安全防護装置を具えたプラグにおいて、安全防護装置の回路中にＬＥＤ指示ランプと抵抗が設けられ、温度ヒューズが切断される時、ＬＥＤ指示ランプが滅灯して温度ヒューズの切断を表示することを特徴とする、安全防護装置を具えたプラグ。
【考案の詳細な説明】
【技術分野】
【０００１】
本考案は一種の安全防護装置を具えたプラグに係り、特にサージ保護器を利用してサージ電圧を吸収して熱エネルギーに変換して温度ヒューズの切断を制御する安全防護装置を具えたプラグに関する。
【背景技術】
【０００２】
一般に周知のコンセントは古くなると、コンセント内の導電接触片が接触不良を発生して、発熱によりプラグを溶融破壊させ、電線の出火を形成する。
【０００３】
このような危険の発生を防止するため、プラグにヒューズを取り付けた周知の発明があり、例えば特許文献１、２、３がある。
【０００４】
以上の従来の技術は、回路上或いは導電端子と電線導電芯線の間に直接ヒューズを取り付けている。しかしこのような技術はヒューズの融点により切断するか否かを判断するため、不正確であるという問題が発生する。時には導電接触片の接触不良により発生する熱がプラグを溶断するのに不十分であるのに、ヒューズが既に溶断されて交換が必要となることがあり、十分に面倒である。
【０００５】
このため温度により切断を制御する安全防護装置のプラグへの応用が、本考案の討論する範疇である。
【０００６】
【特許文献１】台湾特許公告第５９２３９８号明細書
【特許文献２】台湾特許公告第５７２４３６号明細書
【特許文献３】台湾特許公告第５５５２７１号明細書
【考案の開示】
【考案が解決しようとする課題】
【０００７】
本考案の主要な目的は、安全防護装置を具えたプラグを提供することにあり、それは、プラグ本体内に安全防護装置が設計され、該装置は回路に接続されたサージ保護器と温度ヒューズを具えている。回路に瞬間的にサージ電圧が激増する時、サージ保護器がサージ電圧を吸収し並びに熱エネルギーに変換し、熱エネルギーが温度ヒューズが設定する切断温度を超過する時、回路を切断し、安全防護機能を達成する。
【０００８】
本考案の別の目的は、安全防護装置を具えたプラグを提供することにあり、それは、サージ保護器がサージ電圧を熱エネルギーに変換して温度ヒューズを制御して切断することにより、プラグを溶断させるに十分なサージ電圧を確定しなければ温度ヒューズを溶断させることができず、温度がプラグを溶断させるのに不十分である時は切断しない。これにより、正確な安全保障が可能で、周知の技術のように誤って切断して常時ヒューズを交換する欠点がない。
【０００９】
本考案はさらに安全防護装置を具えたプラグを提供することを目的とし、それは、プラグ本体内に収容溝が設計され、サージ保護器と温度ヒューズが隣り合うように該収容溝内に収容される。並びに収容溝の上方にカバーが設けられ、その表面がプラグ本体の表面に延伸され、カバーを開けて温度ヒューズを交換するのに便利である。
【００１０】
このほか、本考案は回路上にＬＥＤ指示ランプが設けられ、温度ヒューズが溶断される時、ＬＥＤ指示ランプが滅灯して温度ヒューズの切断を表示し、これにより修理者がＬＥＤ指示ランプを観察して原因を知ることができる。
【課題を解決するための手段】
【００１１】
請求項１の考案は、安全防護装置を具えたプラグにおいて、
コンセントに挿入されて電源を取得する導電端子対を具え、並びに該導電端子対と電線が導電性接続を形成する、プラグ本体と、
サージ保護器と温度ヒューズを具え、該サージ保護器が回路に接続され、回路に瞬間的にサージ電圧の激増がある時、サージ保護器がサージ電圧を吸収し並びに熱エネルギーに変換し、この熱エネルギーの温度が温度ヒューズの設定する切断温度を超過する時、回路を切断し、安全防護を達成する安全防護装置と、
を具えたことを特徴とする、安全防護装置を具えたプラグとしている。
請求項２の考案は、請求項１記載の安全防護装置を具えたプラグにおいて、プラグ本体が上ケースと下ケースを具え、導電端子対が下ケースより突出し、下ケース内にあって、電線と導電端子対の間に収容溝が設けられてサージ保護器と温度ヒューズを相互に隣り合うように収容することを特徴とする、安全防護装置を具えたプラグとしている。
請求項３の考案は、請求項２記載の安全防護装置を具えたプラグにおいて、収容溝の上方がカバーで閉じられ、カバーの表面が上ケースの表面に延伸されて開閉自在とされたことを特徴とする、安全防護装置を具えたプラグとしている。
請求項４の考案は、請求項２記載の安全防護装置を具えたプラグにおいて、収容溝の両側に案内溝が開設され、サージ保護器と温度ヒューズのピンが該案内溝より収容溝内に組みつけられることを特徴とする、安全防護装置を具えたプラグとしている。
請求項５の考案は、請求項１記載の安全防護装置を具えたプラグにおいて、安全防護装置の回路中にＬＥＤ指示ランプと抵抗が設けられ、温度ヒューズが切断される時、ＬＥＤ指示ランプが滅灯して温度ヒューズの切断を表示することを特徴とする、安全防護装置を具えたプラグとしている。
【考案の効果】
【００１２】
本考案のプラグ内の保護措置は温度を利用して制御を行ない、ゆえに正確な切断タイミングを有し、周知の技術よりも正確である。本考案は完全に実用新案登録の要件を満たしている。
【考案を実施するための最良の形態】
【００１３】
図１から図３に示されるように、本考案はプラグ本体と安全防護装置の二つの部分を具えている。
【００１４】
そのうち、プラグ本体は上ケース１０と下ケース２０を具えている。上ケースと下ケースが形成する閉じたケース内に、導電端子対３０が設けられ、その末端は下ケース２０を通りコンセント内に挿入されて電源を取得する。該導電端子対３０は絶縁ベース４０に固定され、端子の不接触が確保される。電線５０はケース後端より接続され、並びに導電芯線と端子が導電性接続を形成する。ネジ６０が下ケース２０下方よりねじこまれ、上ケース１０と下ケース２０を一体に結合させる。
【００１５】
本考案によると、ケース内の導電端子対３０と電線５０の末端間に、安全防護装置が設けられる。該安全防護装置はサージ保護器７０と温度ヒューズ８０を具えている。サージ保護器７０及び温度ヒューズ８０は下ケース２０の内側より延伸された収容溝９０内に設けられ、並びにサージ保護器７０と温度ヒューズ８０は隣り合うように取り付けられる。
【００１６】
図１及び図３に示されるように、収容溝９０の上方にカバー９１が設けられて収容溝９０を封じている。該カバー９１の表面は上ケース１０の表面の孔１０１内に延伸され、カバー９１を開いて温度ヒューズ８０の交換を行なうことができる。このほか、収容溝９０の両側に案内溝９２が開設され、サージ保護器７０及び温度ヒューズ８０のピンが案内溝９２より収容溝９０内に組みつけられる。このような設計により、カバー９１を上ケース１０の外表面にあって開閉でき、温度ヒューズ８０の交換に便利である。
【００１７】
注意すべきことは以下のことである。本考案は収容溝９０を利用しサージ保護器７０及び温度ヒューズ８０が隣り合うように取り付けられる。回路に瞬間的にサージ電圧が激増するとき、サージ保護器７０がサージ電圧を吸収して熱エネルギーに変換し、並びに熱エネルギーが温度ヒューズ８０が設定する切断温度を超過した時、回路を切断し、安全防護機能を達成する。図４の電気回路図を参照されたい。本考案の電気回路にはＬＥＤ指示ランプ８１と抵抗８２が設けられ、温度ヒューズ８０が切断される時、ＬＥＤ指示ランプ８１が滅灯して温度ヒューズ８０の切断を表示し、これにより修理者はＬＥＤ指示ランプを観察して原因を知ることができる。
【００１８】
温度ヒューズ８０の切断温度は摂氏１３９度に設定可能で、これはプラスチックケースの融点温度より低く、安全を確保できる。サージ電圧の発生する熱エネルギーの温度が設定温度を超過すると温度ヒューズ８０が回路を切断し、これにより正確な制御の結果を達成できる。
【００１９】
このほか、収容溝９０の両側に開設された案内溝９２により、サージ保護器７０及び温度ヒューズ８０のピンが案内溝９２より収容溝９０内に組みつけられる。この設計により温度ヒューズ８０の交換に十分に便利である。
【図面の簡単な説明】
【００２０】
【図１】本考案の分解図である。
【図２】本考案の組合せ図である。
【図３】本考案の断面図である。
【図４】本考案の電気回路図である。
【符号の説明】
【００２１】
１０  上ケース
２０  下ケース
３０  導電端子対
４０  絶縁ベース
５０  電線
６０  ネジ
７０  サージ保護器
８０  温度ヒューズ
８１  ＬＥＤ指示ランプ
８２  抵抗
９０  収容溝
９１  カバー
９２  案内溝
【図１】
0003111465.tif 000003
【図２】
0003111465.tif 000004
【図３】
0003111465.tif 000005
【図４】
0003111465.tif 000006